【手続補正書】
【提出日】平成22年2月22日(2010.2.22)
【手続補正１】
【補正対象書類名】明細書
【補正対象項目名】００３１
【補正方法】変更
【補正の内容】
【００３１】
本発明の第２の特徴は、データ受信方法であって、受信データを複数の符号化ビット列に分割し、分割された前記符号化ビット列に対して誤り訂正復号化処理を行う工程と、前記誤り訂正復号化処理が行われた前記符号化ビット列の１つ又は複数に付加されている前記第２ＣＲＣ符号を用いて誤り検出処理を行う工程と、特定の符号化ビット列で誤りを検出した場合、該特定の符号化ビット列についての第１再送要求を送信する工程と、前記複数の符号化ビット列で誤りを検出しなかった場合、該複数の符号化ビット列を連結して、第１ＣＲＣ符号が付加されている送信データを取得する工程と、前記第１ＣＲＣ符号を用いて誤り検出処理を行う工程と、前記送信データで誤りを検出した場合、該送信データについての第２再送要求を送信する工程とを有することを要旨とする。
【手続補正２】
【補正対象書類名】明細書
【補正対象項目名】００３８
【補正方法】変更
【補正の内容】
【００３８】
本発明の第４の特徴は、送信機と受信機とを具備する無線通信システムであって、前記送信機は、送信データに対して第１ＣＲＣ符号を付加するように構成されている第１ＣＲＣ付加部と、前記第１ＣＲＣ符号が付加されている前記送信データを複数の符号化ビット列に分割するように構成されている分割部と、分割された前記符号化ビット列の少なくとも１つに対して第２ＣＲＣ符号を付加するように構成されている第２ＣＲＣ付加部と、前記符号化ビット列に対して誤り訂正符号化処理を行うように構成されている誤り訂正符号化処理部と、前記誤り訂正符号化処理が行われた前記符号化ビット列を送信するように構成されている送信部とを具備し、前記受信機は、受信データを複数の符号化ビット列に分割し、分割された前記符号化ビット列に対して誤り訂正復号化処理を行うように構成されている誤り訂正復号化部と、前記誤り訂正復号化処理が行われた前記符号化ビット列の１つ又は複数に付加されている前記第２ＣＲＣ符号を用いて誤り検出処理を行うように構成されている第２ＣＲＣチェック部と、特定の符号化ビット列で誤りを検出した場合、該特定の符号化ビット列についての第１再送要求を送信するように構成されている第１再送要求部と、前記複数の符号化ビット列で誤りを検出しなかった場合、該複数の符号化ビット列を連結して、第１ＣＲＣ符号が付加されている送信データを取得するように構成されている連結部と、前記第１ＣＲＣ符号を用いて誤り検出処理を行うように構成されている第１ＣＲＣチェック部と、前記送信データで誤りを検出した場合、該送信データについての第２再送要求を送信するように構成されている第２再送要求部とを有することを要旨とする。
【手続補正３】
【補正対象書類名】明細書
【補正対象項目名】００４６
【補正方法】変更
【補正の内容】
【００４６】
ここで、分割部１３は、第２ＣＲＣ符号が付加される予定の符号化ビット列（例えば、後述する先頭のグループの先頭の符号化ビット列）については、予めＣＲＣ符号のビット量だけ小さくなるように分割してもよい。
【手続補正４】
【補正対象書類名】明細書
【補正対象項目名】００６６
【補正方法】変更
【補正の内容】
【００６６】
連結部３４は、上述の複数の符号化ビット列で誤りを検出しなかった場合、かかる複数の符号化ビット列（図２乃至図４の例では、＃１乃至＃９）を連結して、第１ＣＲＣ符号が付加されている送信データを取得するように構成されている。
【手続補正５】
【補正対象書類名】明細書
【補正対象項目名】００６７
【補正方法】変更
【補正の内容】
【００６７】
第１ＣＲＣチェック部４２は、上述の送信データに付加されている第１ＣＲＣ符号を用いて誤り検出処理を行う、すなわち、第１ＣＲＣ符号をチェックするように構成されている。
【手続補正６】
【補正対象書類名】明細書
【補正対象項目名】００６８
【補正方法】変更
【補正の内容】
【００６８】
なお、第１ＣＲＣチェック部４２は、第１ＣＲＣチェック部４２による誤り検出処理において、特定の符号化ビット列で誤りを検出した場合、送信機１０に対して、かかる特定の符号化ビット列についての第１再送要求を送信するように構成されている。
【手続補正７】
【補正対象書類名】明細書
【補正対象項目名】００６９
【補正方法】変更
【補正の内容】
【００６９】
また、第１ＣＲＣチェック部４２は、当該第１ＣＲＣチェック部４２による誤り検出処理において、特定の送信データで誤りを検出した場合、送信機１０に対して、かかる特定の送信データについての第２再送要求を送信するように構成されている。
【手続補正８】
【補正対象書類名】明細書
【補正対象項目名】００８５
【補正方法】変更
【補正の内容】
【００８５】
ステップＳ２０５において、誤り訂正復号化部３３による全ての符号化ビット列＃１乃至＃９についての復号化処理が終了した場合に、連結部３４が、全ての符号化ビット列＃１乃至＃９を連結することによって、第１ＣＲＣ符号が付加されている送信データを再現する。
【手続補正９】
【補正対象書類名】特許請求の範囲
【補正対象項目名】請求項６
【補正方法】変更
【補正の内容】
【請求項６】
受信データを複数の符号化ビット列に分割し、分割された前記符号化ビット列に対して誤り訂正復号化処理を行う工程と、
前記誤り訂正復号化処理が行われた前記符号化ビット列の１つ又は複数に付加されている前記第２ＣＲＣ符号を用いて誤り検出処理を行う工程と、
特定の符号化ビット列で誤りを検出した場合、該特定の符号化ビット列についての第１再送要求を送信する工程と、
前記複数の符号化ビット列で誤りを検出しなかった場合、該複数の符号化ビット列を連結して、第１ＣＲＣ符号が付加されている送信データを取得する工程と、
前記第１ＣＲＣ符号を用いて誤り検出処理を行う工程と、
前記送信データで誤りを検出した場合、該送信データについての第２再送要求を送信する工程とを有することを特徴とするデータ受信方法。
【手続補正１０】
【補正対象書類名】特許請求の範囲
【補正対象項目名】請求項１３
【補正方法】変更
【補正の内容】
【請求項１３】
送信機と受信機とを具備する無線通信システムであって、
前記送信機は、
送信データに対して第１ＣＲＣ符号を付加するように構成されている第１ＣＲＣ付加部と、
前記第１ＣＲＣ符号が付加されている前記送信データを複数の符号化ビット列に分割するように構成されている分割部と、
分割された前記符号化ビット列の少なくとも１つに対して第２ＣＲＣ符号を付加するように構成されている第２ＣＲＣ付加部と、
前記符号化ビット列に対して誤り訂正符号化処理を行うように構成されている誤り訂正符号化処理部と、
前記誤り訂正符号化処理が行われた前記符号化ビット列を送信するように構成されている送信部とを具備し、
前記受信機は、
受信データを複数の符号化ビット列に分割し、分割された前記符号化ビット列に対して誤り訂正復号化処理を行うように構成されている誤り訂正復号化部と、
前記誤り訂正復号化処理が行われた前記符号化ビット列の１つ又は複数に付加されている前記第２ＣＲＣ符号を用いて誤り検出処理を行うように構成されている第２ＣＲＣチェック部と、
特定の符号化ビット列で誤りを検出した場合、該特定の符号化ビット列についての第１再送要求を送信するように構成されている第１再送要求部と、
前記複数の符号化ビット列で誤りを検出しなかった場合、該複数の符号化ビット列を連結して、第１ＣＲＣ符号が付加されている送信データを取得するように構成されている連結部と、
前記第１ＣＲＣ符号を用いて誤り検出処理を行うように構成されている第１ＣＲＣチェック部と、
前記送信データで誤りを検出した場合、該送信データについての第２再送要求を送信するように構成されている第２再送要求部とを有することを特徴とする無線通信システム。
【手続補正１１】
【補正対象書類名】図面
【補正対象項目名】図１
【補正方法】変更
【補正の内容】
【図１】
2009049665.tif 000001
【手続補正１２】
【補正対象書類名】図面
【補正対象項目名】図２
【補正方法】変更
【補正の内容】
【図２】
2009049665.tif 000002
【手続補正１３】
【補正対象書類名】図面
【補正対象項目名】図５
【補正方法】変更
【補正の内容】
【図５】
2009049665.tif 000003